(57)【要約】      （修正有）【課題】大型車両等の車両の一方側の視界を遮る場合でも、その反対側において一方側の安全を確認でき、事故抑制することのできる車両用画面表示システムを提供する。【解決手段】車両用画面表示システムは、車両１のドライブレコーダー１１で記録された一方側１ｆの画像を、前記ドライブレコーダー１１の配線に接続され、前記画像が記録された車両１の側と反対側１ｒの面に取り付けた画面表示装置１０に映し出すことを特徴とする。【選択図】図１
2018047835.tif 000002
【特許請求の範囲】
【請求項１】
車両のドライブレコーダーで記録された一方側の画像を、前記ドライブレコーダーの配線に接続され、前記画像が記録された車両の側と反対側の面に取り付けた画面表示装置に映し出すことを特徴とする車両用画面表示システム。
【請求項２】
予め車両に搭載されたドライブレコーダーを使用するか、又は新たにドライブレコーダーを取り付けて使用する、請求項１記載の車両用画面表示システム。
【請求項３】
前記画像が、動画又は静止画を含む、請求項１又は２記載の車両用画面表示システム。
【請求項４】
前記画面表示装置が、ＬＥＤで構成された画面を備える、請求項１〜３の何れかに記載の車両用画面表示システム。
【請求項５】
車両の前方、後方、又は左右の状況確認を可能とする、請求項１〜４の何れかに記載の車両用画面表示システム。
【請求項６】
請求項１〜５の何れかに記載の車両用画面表示システムに使用されることを特徴とする安全確認用画面表示装置。
【請求項７】
請求項１〜５の何れかに記載の車両用画面表示システムに使用されることを特徴とする、ドライブレコーダー及び画面表示装置からなる安全確認用画面表示セット。
【発明の詳細な説明】
【技術分野】
【０００１】
本発明は、大型車両等の車両の一方側の視界を遮る場合でも、その反対側において一方側の安全を確認でき、事故抑制することのできる車両用画面表示システムに関する。
【背景技術】
【０００２】
路線バス、送迎バス、観光バス、貨物車、ルート配送車や、一般車両でもワンボックスカー等の大型車両が自車の前方を走行若しくは停車している際には、その前方の車両の前部の道路状況や安全状況等を確認することができない。このため、前方の車両の前部状況を確認できるようなシステムが望まれていた。
【０００３】
これまでに、トラック、バス等の大型自動車の後方についた普通自動車が、この大型自動車の前方を確認することを目的として、前面に取り付けられ、前方の画像をとらえるカメラと、後面に取り付けられ、前記カメラにとらえられた画像を映し出すモニターとを備えた前方確認用モニター付き自動車が提案されている（特許文献１）。
【０００４】
特許文献１に開示の前方確認用モニター付き自動車によれば、大型自動車が停車している時、普通自動車を運転している運転手は、モニターを見ることにより、大型自動車がどのような状態で停車しているのか確認することができる。具体的には、普通自動車を運転している運転手は、大型自動車が故障で停車しているのか、あるいは、信号待ちで停車しているのか、といったことを判断することができる。
【０００５】
しかしながら、従来の前方確認用モニター付き自動車では、前方の画像をとらえるためのカメラを大型車の前面に取り付ける必要があり、その取り付けたカメラにとらえられた前方画像を単に後面に取り付けたモニターに映し出すだけのものである。このため、作業効率やコストパフォーマンスが低く、また雨天の場合に、モニター画面が水に晒されることになり、モニターの防水性・耐久性が不十分であった。また、従来の前方確認用モニター付き自動車では、「ブレーキ注意」等の注意表示が可能であるが、走行時の後続車などへの配慮が十分とはいえないものであった。
【０００６】
近年、映像や音声等を記録する自動車用の車載装置として、ドライブレコーダーが普及している。その普及により、ドライブレコーダーを取り付けている車両の前方状況や録画等で、万一の事故の際の記録・解析や事故等の抑制にも役立っている。このようにドライブレコーダーは種々の機能を有しているが、大型車両等が介在した安全配慮システムに活かされていないのが実情であった。
【先行技術文献】
【特許文献】
【０００７】
【特許文献１】特開平１０−３１５８５８号公報
【発明の概要】
【発明が解決しようとする課題】
【０００８】
本発明は、大型車両等の車両の一方側の視界を遮る場合でも、その反対側において一方側の安全を確認でき、事故抑制することのできる車両用画面表示システムを提供することを目的とする。
【課題を解決するための手段】
【０００９】
本発明者は、前記課題を解決するべく鋭意研究した結果、車両のドライブレコーダーで記録された画像を活用した特定のシステムが、前記目的を達成し得ることの知見を得た。
【００１０】
本発明は、前記知見に基づきなされたもので、下記の発明を提供するものである。
【００１１】
１．車両のドライブレコーダーで記録された一方側の画像を、前記ドライブレコーダーの配線に接続され、前記画像が記録された車両の側と反対側の面に取り付けた画面表示装置に映し出すことを特徴とする車両用画面表示システム。
【００１２】
２．予め車両に搭載されたドライブレコーダーを使用するか、又は新たにドライブレコーダーを取り付けて使用する、前記１記載の車両用画面表示システム。
【００１３】
３．前記画像が、動画又は静止画を含む、前記１又は２記載の車両用画面表示システム。
【００１４】
４．前記画面表示装置が、ＬＥＤで構成された画面を備える、前記１〜３の何れかに記載の車両用画面表示システム。
【００１５】
５．車両の前方、後方、又は左右の状況確認を可能とする、前記１〜４の何れかに記載の車両用画面表示システム。
【００１６】
６．前記１〜５の何れかに記載の車両用画面表示システムに使用されることを特徴とする安全確認用画面表示装置。
【００１７】
７．前記１〜５の何れかに記載の車両用画面表示システムに使用されることを特徴とする、ドライブレコーダー及び画面表示装置からなる安全確認用画面表示セット。
【発明の効果】
【００１８】
本発明によれば、大型車両等の車両の一方側の視界を遮る場合でも、その反対側において一方側の安全を確認でき、事故抑制することのできる車両用画面表示システムを提供することができる。
【図面の簡単な説明】
【００１９】
【図１】本発明の一実施形態に係る車両用画面表示システムを示す概略説明図である。
【発明を実施するための形態】
【００２０】
以下、本発明について、その好ましい実施形態に基づき詳細に説明する。
本発明の一実施形態に係る車両用画面表示システムは、図１に示すように、大型車両等の車両１のドライブレコーダー１１で記録された一方側である前方１ｆの画像を、前記ドライブレコーダー１１の配線に接続され、前記画像が記録された車両１の側と反対側である後方１ｒの面に取り付けた画面表示装置１０に映し出すものである。
【００２１】
本実施形態に係る車両用画面表示システムがかかる構成からなるため、大型車両等の車両１の一方側（前方）１ｆの視界を遮る場合でも、その反対側（後方）１ｒにおいて一方側（前方）１ｆの安全を確認でき、事故を抑制することができるようになる。例えば、車両１の後方についた車両の運転手や、歩行者、自転車の運転者等に、画面表示装置１０に映し出されたドライブレコーダー１１の画像を通じて車両１の前方の状況を示し、追い越しや追い抜き等をしようとする場合の安全確認、事故抑制を可能にする。
【００２２】
本実施形態では、車両１の前方側にドライブレコーダー１１、後方側に画面表示装置１０を取り付けた場合の一例であるが、その他、これらを相互に逆に取り付けて前方側から後方側の道路状況の確認をしたり、バスやトラック貨物車両の側面に取り付けてその反対側の状況も確認することができる。
【００２３】
このように、本発明に係る車両用画面表示システムは、ドライブレコーダー１１と画面表示装置１０の設置位置に応じて、車両１の前方、後方、又は左右のほか、対角線上に対向する方向まで、あらゆる方向の道路状況等を確認することができる。
【００２４】
本実施形態に係る車両用画面表示システムは、予め車両１に搭載されたドライブレコーダー１１を使用してもよく、また、未搭載の場合等には新たにドライブレコーダー１１を取り付けて使用することもできる。
【００２５】
本実施形態に係る車両用画面表示システムに用いられる画面表示装置１０は、車両１の後方部１ｒの左右開閉型の扉に設置する場合の例であり、左右一対の画面表示装置１０を左右片方ずつに設置して扉を閉じた状態で画像を確認することができるものである。
【００２６】
画面表示装置１０は、ＬＥＤ（発光ダイオード；Light Emitting Diode）で構成された画面を備えている。ＬＥＤ画面を使用した画面表示装置１０を用いると、防水性及び耐久性を高めることができ、天候にかかわりなく長期に亘り使用することができる。なお、画面表示装置１０における画面の素材は特に制限されず、例えば液晶等を使用した画面でもよいが、防水性に優れる点ではＬＥＤが好ましい。
【００２７】
また、時間帯に応じて、画面表示装置１０における画像のコントラストを調整することにより、車両１の後方についた車両や自転車、歩行者の視界をより妨げないようにすることができる。
【００２８】
本実施形態に係る車両用画面表示システムは、車両１を動かしている間、常時使用する（ＯＮの状態）必要はなく、例えば、安全性が確保できるような問題のない場合等には停止させる（ＯＦＦの状態）こともできる。また、本車両用画面表示システムは、自動車等のナビゲーションシステムと同様に、車両１を停車中（速度対応）はＯＮとし、走行中はＯＦＦとする機能を付加することもできる。
【００２９】
また、本実施形態に係る車両用画面表示システムは、走行時の後続車などへの配慮をふまえた速度感知システムを備える。具体的には、走行中の車両１の速度を感知して、画面表示装置１０に表示することで後続車へ告知することができる。これにより、速度超過防止の面から、より安全性を高めて事故防止につなげることができる。
【００３０】
さらに、画面表示装置１０に表示する画像としては、動画でも静止画であってもよい。例えば、事本実施形態に係る車両用画面表示システムを業用車両や路線バス等に採用する場合には、映像を表示することにより宣伝掲示（ＣＭ）や広告掲示にも利用することができる。
【００３１】
以上、本発明の車両用画面表示システムは、前述した実施形態を好ましく採用できるが、本発明はかかる実施形態に限定されるものではなく、適宜に変更形態を採用することもできる。
【００３２】
例えば、画面表示装置を車両１の後方部１ｒにおいて左右開閉型の扉に設置せずに、扉のない平面に設置する場合には、一体型の大きな画面表示板のような画面表示装置を設置することができる。
【００３３】
本発明はまた、前述した車両用画面表示システムに使用される安全確認用画面表示装置を提供することができる。具体的には、前記実施形態に係るシステムにおける車両１に取り付けた画面表示装置１０等が挙げられる。かかる安全確認用画面表示装置によれば、予めドライブレコーダーが搭載された車両において、当該ドライブレコーダーの配線に画面表示装置を接続させて所定の位置に取り付けることで、安全確認及び事故抑制に資することができる。
【００３４】
本発明はさらに、前述した車両用画面表示システムに使用される、ドライブレコーダー及び画面表示装置からなる安全確認用画面表示セットを提供することができる。具体的には、前記実施形態に係るシステムにおける車両１に取り付けたドライブレコーダー１１及び画面表示装置１０からなるセット等が挙げられる。
【００３５】
かかる安全確認用画面表示セットによれば、車両にドライブレコーダーを未搭載の場合でも、ドライブレコーダー及び画面表示装置からなるセットにして車両の所定の位置に取り付けることで、安全確認及び事故抑制に資することができる。
【産業上の利用可能性】
【００３６】
本発明は、大型車両等の車両の一方側の視界を遮る場合でも、その反対側において一方側の安全を確認でき、事故抑制することのできる車両用画面表示システム、並びに該システムに用いられる安全確認用画面表示装置及び安全確認用画面表示セットとして、産業上の利用可能性を有する。
【符号の説明】
【００３７】
１０：画面表示装置
１１：ドライブレコーダー
１：車両（大型車両等）
１ｆ：一方側（前方）
１ｒ：反対側（後方）
【図１】
2018047835.tif 000003
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
車両のドライブレコーダーで記録された一方側の画像を、前記ドライブレコーダーの配線に接続され、前記画像が記録された車両の側と反対側の面に取り付けた画面表示装置に映し出す車両用画面表示システムであって、
前記画面表示装置は、ＬＥＤで構成された画面を備え、時間帯に応じて画像のコントラストを調整する機能を有し、
走行中の車両の速度を感知して前記画面表示装置に表示することにより後続車へ告知する機能を備える
ことを特徴とする車両用画面表示システム。
【請求項２】
予め車両に搭載されたドライブレコーダーを使用するか、又は新たにドライブレコーダーを取り付けて使用する、請求項１記載の車両用画面表示システム。
【請求項３】
前記画像が、動画又は静止画を含む、請求項１又は２記載の車両用画面表示システム。
【請求項４】
車両の前方、後方、又は左右の状況確認を可能とする、請求項１〜３の何れかに記載の車両用画面表示システム。
【請求項５】
ドライブレコーダーの配線に接続されるとともに、前記ドライブレコーダーで記録された一方側の画像が記録された車両の側と反対側の面に取り付けられ、前記画像が映し出される安全確認用画面表示装置であって、
ＬＥＤで構成された画面を備え、時間帯に応じて画像のコントラストを調整する機能を有し、後続車へ告知するため走行中の車両の速度を表示する
ことを特徴とする安全確認用画面表示装置。
【請求項６】
ドライブレコーダー及び請求項５記載の安全確認用画面表示装置からなる安全確認用画面表示セット。
【手続補正２】
【補正対象書類名】明細書
【補正対象項目名】００１１
【補正方法】変更
【補正の内容】
【００１１】
１．  車両のドライブレコーダーで記録された一方側の画像を、前記ドライブレコーダーの配線に接続され、前記画像が記録された車両の側と反対側の面に取り付けた画面表示装置に映し出す車両用画面表示システムであって、
前記画面表示装置は、ＬＥＤで構成された画面を備え、時間帯に応じて画像のコントラストを調整する機能を有し、
走行中の車両の速度を感知して前記画面表示装置に表示することにより後続車へ告知する機能を備える
ことを特徴とする車両用画面表示システム。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
４．車両の前方、後方、又は左右の状況確認を可能とする、前記１〜３の何れかに記載の車両用画面表示システム。
【手続補正５】
【補正対象書類名】明細書
【補正対象項目名】００１６
【補正方法】変更
【補正の内容】
【００１６】
５．ドライブレコーダーの配線に接続されるとともに、前記ドライブレコーダーで記録された一方側の画像が記録された車両の側と反対側の面に取り付けられ、前記画像が映し出される安全確認用画面表示装置であって、
ＬＥＤで構成された画面を備え、時間帯に応じて画像のコントラストを調整する機能を有し、後続車へ告知するため走行中の車両の速度を表示する
ことを特徴とする安全確認用画面表示装置。
【手続補正６】
【補正対象書類名】明細書
【補正対象項目名】００１７
【補正方法】変更
【補正の内容】
【００１７】
６．ドライブレコーダー及び前記５記載の安全確認用画面表示装置からなる安全確認用画面表示セット。